(57)【要約】【課題】  ディスクをセットして出し入れするトレイを備えたディスク装置において、トレイの両側下面に設けたガイド溝に塗布したグリースが手に付着しないようにしたディスク装置の提供。【解決手段】  トレイ１１がスライドする為に本体１２から突出したボス１７が遊嵌するガイド溝１５を両側下面に沿設し、該ガイド溝１５は幅広開口溝１６の底に設けると共にガイド溝１５にはグリース１８を塗布している。【選択図】    図２
2006099846.tif 000002
【特許請求の範囲】
【請求項１】
ディスクをセットして出し入れするトレイを備えたディスク装置において、該トレイが直線スライドする為に本体から突出したボスが遊嵌するガイド溝を両側下面に沿設し、該ガイド溝は幅広開口溝の底に設けると共にガイド溝にはグリースを塗布したことを特徴とするグリース付着防止トレイを備えたディスク装置。
【請求項２】
上記幅広開口溝の底面を水平面とした請求項１記載のグリース付着防止トレイを備えたディスク装置。
【請求項３】
上記幅広開口溝の底面を両側が高い傾斜面とした請求項１記載のグリース付着防止トレイを備えたディスク装置。
【請求項４】
ディスクをセットして出し入れするトレイを備えたディスク装置において、該トレイが直線スライドする為に本体からは２本のボスが対を成して突出し、両ボスをトレイ下面の両側に沿設した両ガイド溝に遊嵌すると共に両ガイド溝間のガイド片を両ボスにて挟み込み、ボスが滑り接触するガイド溝の側面及び上面にはグリースを塗布したことを特徴とするグリース付着防止トレイを備えたディスク装置。
【請求項５】
上面にグリースを塗布したガイド溝を幅広開口溝の底に設けた請求項４記載のグリース付着防止トレイを備えたディスク装置。
【発明の詳細な説明】
【技術分野】
【０００１】
本発明はグリースが手に付着しないトレイ構造としたディスク装置に関するものである。
【背景技術】
【０００２】
ＣＤ、ＤＶＤ等のディスクを再生する為のディスク装置は、ディスクを載せて出し入れするトレイ、ディスクをターンテーブルに載せて回転させる駆動部、そしてディスクに記録されている情報を再生するピックアップ、及び該ピックアップを移動させる送り装置等を備えたトラバースユニットから成っている。これら各構成部の動きに必要なモータが備わって制御され、各モータを介してそれぞれ必要な動作を行なうことが出来る。
【０００３】
ディスクを載置して装置本体から搬出・搬入するトレイの場合も同じく、該トレイはモータにて駆動されるが、その為にトレイの底面側部に設けているラックにはギアが噛み合い、ギアはモータにて回転駆動される。従って、ギアが回転するならば、噛合っているラックが移動することでトレイはスライドして出入りすることが出来る。
【０００４】
ところで、従来ではディスク装置のトレイに関して数多くの技術が開発され、例えば、特開２００３−１９６９０７号に係る「ディスク装置」は、安定してディスクを出し入れすることが出来ると共に、容易にトレイを垂直方向から装着可能としている。又、特開２００２−２８８９１４号に係る「ディスク装置」は、トレイの移動に連動して昇降させる可動ベース駆動機構の衝撃を緩和することが出来る。
【０００５】
特開２００４−１４５９８１号に係る「ディスクローディング装置」は、トレイの収納動作開始直後、又は排出動作完了直前におけるトレイの振動的な揺動動作の発生を抑制し、高品位のトレイ収納・排出動作を行うことが出来る。特開２００３−３１７３５７号に係る「ディスク装置」は、衝撃が作用した場合であっても、ディスクトレイの飛出しを防止することが出来るように構成している。
【０００６】
ところで、これらトレイが出入りする為にはラックに噛合うギアが回転することになるが、図５にトレイ底面を示すように、トレイ１の両側底面には直線のガイド溝３，３が沿設されていて、該ガイド溝３，３にはフレーム本体から起立するボス５，５が遊嵌している。従って、左右２個のボス５，５にガイド溝３，３が拘束されることで、トレイ１はスライドして出入りすることが出来る。又、ギア６はラック７から外れることなく噛合い状態が保たれる。
【０００７】
ところで、トレイのスライドが大きな摩擦抵抗なくスムーズに行われるように、ガイド溝３，３にはグリースが塗布される。従って、グリースが潤滑剤と成ってボス５，５との摩擦を軽減して滑らかなスライド運動が行われるが、このグリースが流れ出して手に付着したり、又はフロント開口に付着して汚れることがある。図６はガイド溝３に遊嵌しているボス５の拡大図を示しており、黒塗りした箇所がグリース８を表している。該グリース８はガイド溝３の底面及び内側面に塗布され、内側面からトレイ下面２に流れ、これが手に付着するといった問題が発生する。
【特許文献１】特開２００３−１９６９０７号に係る「ディスク装置」
【特許文献２】特開２００２−２８８９１４号に係る「ディスク装置」
【特許文献３】特開２００４−１４５９８１号に係る「ディスクローディング装置」
【特許文献４】特開２００３−３１７３５７号に係る「ディスク装置」
【発明の開示】
【発明が解決しようとする課題】
【０００８】
このように、ディスク装置のトレイに関して色々な技術が開発されているが、これらはトレイの動作に関するものであり、本発明が目的とするグリースの流出に関するものはなく、従来から前記図５に示すような構造と成っているに過ぎない。その結果、トレイが搬出された場合に下面に流れ出たグリースが手に付着するといった問題がある。本発明が解決しようとする課題はこの問題点であり、ガイド溝に塗布したグリースがトレイ下面に流出しない構造としたディスク装置を提起する。
【課題を解決するための手段】
【０００９】
本発明に係るディスク装置はトレイを備え、該トレイにディスクをセットして搬入・搬出する構造としている。そして、トレイの下面にはラックが前後方向へ延びて、該ラックに噛合うギアの回転によってトレイがスライドすることが出来る。そして、トレイの下面両側には直線のガイド溝が沿設され、このガイド溝にフレームから突出したボスが遊嵌している。これらの基本構造は従来のディスク装置と同じである。
【００１０】
そして、上記ガイド溝は２段底を形成し、幅広開口溝の底にボスが遊嵌するガイド溝を形成した形態と成っている。ここで、幅広開口溝の内側面は必ずしも溝底に対して垂直である必要はなく、例えば傾斜内側面を形成することもあり、これらガイド溝の底面及び内側面にグリースが塗布されている。勿論、グリースの種類は限定しない。
【発明の効果】
【００１１】
本発明のディスク装置に備わっているトレイは、その下面両側のガイド溝が幅広開口溝の底に形成されている。すなわち、幅広開口溝の底にガイド溝が形成された形態と成っている為に、ガイド溝に塗布されたグリースが内側面からトレイ下面へ流出することはない。ガイド溝内側面の下縁までグリースが流れても、幅広開口溝の底に位置している為に手に付着することはない。又、このグリースが幅広開口溝の側面に伝ってトレイ下面まで流出することはなく、下面まで流れるグリース量をガイド溝に前以て塗布する必要はない。
【実施例】
【００１２】
図１は本発明に係るトレイを備えたディスク装置の平面図を示している。同図の１１はトレイ、１２は本体、１３はトラバースユニットを示し、同図のトレイ１１は本体１２から搬出された状態にある。トレイ１１の上面にはディスクがセットされる円形凹部が形成され、モータにて回転駆動されるギアがラックに噛合ってスライドすることが出来る。
【００１３】
トレイ１１は本体１２から突出するボスにガイドされてスライドすることが出来るが、トレイ１１の両側下面にはガイド溝が形成され、このガイド溝にボスが遊嵌している。そして、ガイド溝にはグリースが塗布されてボスとの摩擦抵抗を軽減している。
【００１４】
図２は本発明のディスク装置のトレイ下面１４に設けているガイド溝の縦断面を示した実施例である。このように、ガイド溝１５は幅広開口溝１６の底に形成されている。そして、このガイド溝１５に本体１２から突出したボス１７が遊嵌し、トレイ１１はボス１７をガイドとしてスライドすることが出来る。ガイド溝１５は幅広開口溝１６の底に設けられている関係上、ボス１７の突出長さは従来より幾分長く成っている。
【００１５】
そして、従来通りガイド溝１５にはグリース１８が塗布され、同図において黒塗りでグリース１８を示している。ところで、ガイド溝１５の底面及び内側面にはグリース１８が塗布されて該内側面の下縁までグリースが付着し、ボス１７との摩擦抵抗を軽減することでトレイ１１のスムーズなスライドを可能ならしめることが出来る。しかし、ガイド溝１５に塗布されているグリース１８がトレイ下面１４まで流れて達することは出来ない。
【００１６】
ガイド溝１５の内側面下縁１９に付着しているグリース１８は、該下縁１９から流れ落ちることはない。下縁１９に付着しているグリース１８が幅広開口溝１６の底面２０から内側面２１へ流れる可能性は極めて少ない。すなわち、幅広開口溝１６の底面２０は図２(ａ)に示すように水平面であり、この水平な底面２０をグリース１８は流れ難く、まして内側面２１の下縁までグリース１８が達する量を塗布する必要がない。又、幅広開口溝１６の底面２０を水平面でなく、図２(ｂ)に示すように両側を僅かに高くした傾斜面とすることで、該底面２０をグリースが流れ難くすることも出来る。
【００１７】
図３はトレイ１１が搬出されてディスク交換位置にある状態を示しているが、同図に示すディスク装置にはトレイが出入りする開口に扉２２が取付けられている。該扉２２はトレイ１１が開口から突出する際に、背後から押圧して回転して押し開くことが出来、トレイ１１が後退すると同時に閉じることが出来るようにバネ力が付勢されている。
【００１８】
そこで、同図から明らかなように、トレイ１１が電子機器２４のフロント開口から突出した状態にある時は、扉２２の上縁はトレイ下面１４に常に接している。トレイ１１のガイド溝形態が図６に示す従来のような形状であるならば、ガイド溝内側面の下縁に付着しているグリースが扉２２に付着することになるが、本発明のように幅広開口溝の底にガイド溝１５を形成することで、該扉２２にグリース１８が付着するといった問題は発生しない。
【００１９】
図４は本発明のディスク装置のトレイ下面１４に設けているガイド溝の縦断面を示した他の実施例である。本体１２からは２本のボス１７ａ，１７ｂが所定の間隔をおいて対を成して起立し、これら両ボス１７ａ，１７ｂにガイド片２３が挟まれた状態にある。一方のボス１７ａはガイド溝１５ａに遊嵌し、他方のボス１７ｂはガイド溝１５ｂに遊嵌している。
【００２０】
ガイド溝１５ａには黒塗りした上面と片側面にグリース１８が塗布され、ガイド溝１５ｂには黒塗りした方側面にグリース１８が塗布されている。すなわち、ボス１７ａ，１７ｂが滑り接触する面にグリース１８が塗布される。そこで、ガイド溝１５ａ，１５ｂの側面に塗布されているグリース１８は、仮に流れ落ちても本体１２に付着するだけであって、手に付着する可能性はない。そして、ガイド溝１５ａの上面のグリース１８が流れ落ちる場合、前記図２のように幅広開口溝１６の水平な底面２０を形成する為、グリース１８の流れはガイド溝１５ａの下縁１９までとなる。
【図面の簡単な説明】
【００２１】
【図１】トレイが搬出された状態のディスク装置の平面図。
【図２】トレイ下面に形成されるガイド溝の形状を示す縦断面図。
【図３】トレイが搬出された状態を示す電子機器の側面図。
【図４】トレイ下面に形成されるガイド片の形状を示す縦断面図。
【図５】トレイの底面形状を示す平面透視図。
【図６】トレイの下面に形成される従来のガイド溝の形状を示す縦断面図。
【符号の説明】
【００２２】
11  トレイ
12  本体
13  トラバースユニット
14  下面
15  ガイド溝
16  幅広開口溝
17  ボス
18  グリース
19  下縁
20  底面
21  内側面
22  扉
23  ガイド片
24  電子機器
【図１】
2006099846.tif 000003
【図２】
2006099846.tif 000004
【図３】
2006099846.tif 000005
【図４】
2006099846.tif 000006
【図５】
2006099846.tif 000007
【図６】
2006099846.tif 000008